(57)【要約】      （修正有）【課題】コネクタカバーが携帯端末装置本体に装着された後に使用者が意図しない外力がどの方向から加わっても簡単に抜脱されることを防止出来る蓋構造を提供する。【解決手段】バッテリーを収納するバッテリー室と、バッテリー室と直交する２面の角部に外部機器接続用のコネクタが配された凹部と、凹部を開閉自在に覆う弾性部材で形成された蓋体と携帯端末装置本体とを保持する複数の保持手段と、蓋体と携帯端末装置本体とを連結する連結手段を有し、かつ連結部を挿入する開口部を携帯端末装置本体に有し、連結部を前記バッテリーの挿入方向側に配し、蓋体の連結部に対向する携帯端末装置本体の位置に蓋操作部を配し、複数の保持手段の内の一つはバッテリーの挿入方向側に配し、複数の保持手段の内の一つは蓋操作部の近傍に配し、蓋体のバッテリー室に対向する側に携帯端末装置本体の一部で形成される壁を設ける。【選択図】図３
2013130742.tif 000002
【特許請求の範囲】
【請求項１】
バッテリー（１２０）を収納するバッテリー室（１０４）と、前記バッテリー室（１０４）と、前記バッテリー室（１０４）と直交する２面の角部に外部機器接続用のコネクタ（１０９）が配された凹部（１０１）と、前記凹部（１０１）を開閉自在に覆う弾性部材で形成された蓋体（１０２）を有する携帯端末装置本体（１００）において、前記蓋体（１０２）と前記携帯端末装置本体（１００）とを保持する複数の保持手段（１１７〜１１９）と、前記蓋体（１０２）と前記携帯端末装置本体（１００）とを連結する連結手段（１１６）を前記蓋体（１０２）に有し、かつ前記連結部（１１６）を挿入する開口部（１１３）を前記携帯端末装置本体（１００）に有し、前記連結部（１１６）を前記バッテリー（１２０）の挿入方向側に配し、前記蓋体（１０２）の前記連結部（１１６）に対向する前記携帯端末装置本体（１００）の位置に蓋操作部（１０３）を配し、前記複数の保持手段（１１７〜１１９）の内の一つは前記バッテリー（１２０）の挿入方向側に配し、前記複数の保持手段（１１７〜１１９）の内の一つは前記蓋操作部（１０３）の近傍に配し、前記蓋体（１０２）の前記バッテリー室（１０４）に対向する側に携帯端末装置本体（１００）の一部で形成される壁（１１２）を設けることを特徴とした携帯端末装置の蓋構造。
【請求項２】
前記蓋体（１０２）の中央部、前記バッテリー室（１０４）側に、前記複数の保持手段（１１７〜１１９）の内の一つを配することを特徴とする請求項１に記載の携帯端末装置の蓋構造。
【請求項３】
前記蓋操作部（１０３）の近傍に配した前記複数の保持手段（１１７〜１１９）の内の一つ（１１８）は、前記壁（１１２）側に配することを特徴とする請求項１又は請求項２に記載の携帯端末装置の蓋構造。
【請求項４】
前記バッテリー（１２０）の挿入方向側に配した前記複数の保持手段（１１７〜１１９）の内の一つ（１１９）は、前記連結部（１１６）の一部と前記開口部（１１３）を使用することを特徴とする請求項１至請求項３の何れか１項に記載の携帯端末装置の蓋構造。
【請求項５】
前記バッテリー（１２０）の挿入方向側に配した前記複数の保持手段（１１７〜１１９）の内の一つ（１１９）は、前記蓋操作部（１０３）の近傍に配した前記複数の保持手段（１１７〜１１９）の内の一つ（１１８）よりも強い保持力を有することを特徴とする請求項１至請求項４の何れか１項に記載の携帯端末装置の蓋構造。
【発明の詳細な説明】
【技術分野】
【０００１】
本発明は、ビデオカメラやデジタルスチルカメラなどの携帯端末装置に設けられた端子を開閉自在に覆う蓋構造に関するものである。
【背景技術】
【０００２】
ビデオカメラやデジタルスチルカメラなどの携帯端末装置は、さまざまな外部機器と接続し、電子機器の活用範囲を広げるため、多くの信号入出力コネクタ類が装備されており、それらの信号入出力コネクタ類をほこりや水分から保護する為、開放自在に覆うコネクタカバーが取り付けられている。
【０００３】
また一般的に、コネクタカバーはエラストマー等の弾性部材で形成され、携帯端末装置本体との圧入係止のための圧入ボスまたは爪部が設けられている。該圧入ボスまたは爪部と、携帯端末装置本体側の対応する位置に設けられた形状との間の摩擦力によってコネクタカバーが閉状態に保持される。
【０００４】
このような蓋構造において、特許文献１に示す技術が開示されている。
【０００５】
特許文献１によって示された従来技術は、蓋部とフック部と連結部からなる蓋で、フック部に挿入する方向に球形状で反対側が起立した面を持つ凸を設け、蓋のヒンジの反対側に係り止め部を設ける。これにより、挿入しやすくするとともに、挿入後に使用者が意図しない外力によって簡単に抜脱されることを防止するものである。
【先行技術文献】
【特許文献】
【０００６】
【特許文献１】特開2003-283157号公報
【発明の概要】
【発明が解決しようとする課題】
【０００７】
しかし、特許文献１によって示された従来の技術では、ヒンジに対して横方向からの外力に対して抵抗する手段を持っておらず、この方向から力を受けた場合には、コネクタカバーが簡単に抜脱されてしまうという問題がある。
【０００８】
そこで、本発明では、携帯端末装置において、コネクタカバーが携帯端末装置本体に装着された後に使用者が意図しない外力がどの方向から加わっても簡単に抜脱されることを防止出来る蓋構造を提供することを目的としている。
【課題を解決するための手段】
【０００９】
前述の目的を達成するため、本出願に係る第１の発明は、バッテリーを収納するバッテリー室と、前記バッテリー室と、前記バッテリー室と直交する２面の角部に外部機器接続用のコネクタが配された凹部と、前記凹部を開閉自在に覆う弾性部材で形成された蓋体を有する携帯端末装置本体において、前記蓋体と前記携帯端末装置本体とを保持する複数の保持手段と、前記蓋体と前記携帯端末装置本体とを連結する連結手段を前記蓋体（に有し、かつ前記連結部を挿入する開口部を前記携帯端末装置本体に有し、前記連結部を前記バッテリーの挿入方向側に配し、前記蓋体の前記連結部に対向する前記携帯端末装置本体の位置に蓋操作部を配し、前記複数の保持手段の内の一つは前記バッテリーの挿入方向側に配し、前記複数の保持手段の内の一つは前記蓋操作部の近傍に配し、前記蓋体の前記バッテリー室に対向する側に携帯端末装置本体の一部で形成される壁を設けることを特徴としている。
また、本発明の他の特徴とするところは、前記バッテリー室側に、前記複数の保持手段の内の一つを配することを特徴としている。
また本発明の他の特徴とするところは、前記蓋操作部の近傍に配した前記複数の保持手段の内の一つは、前記壁側に配することを特徴としている。
また本発明の他の特徴とするところは、前記バッテリーの挿入方向側に配した前記複数の保持手段の内の一つは、前記連結部の一部と前記開口部を使用することを特徴としている。
また本発明の他の特徴とするところは、前記バッテリーの挿入方向側に配した前記複数の保持手段の内の一つは、前記蓋操作部の近傍に配した前記複数の保持手段の内の一つよりも強い保持力を有することを特徴としている。
【発明の効果】
【００１０】
以上説明したように、本発明によれば、携帯端末装置において、コネクタカバーが携帯端末装置本体に装着された後に使用者が意図しない外力がどの方向から加わっても簡単に抜脱されることを防止出来る蓋構造を提供することが可能となる。
【図面の簡単な説明】
【００１１】
【図１】本発明の実施の形態に係るビデオカメラの斜視図
【図２】コネクタ室およびコネクタカバーの詳細を示す図
【図３】コネクタ室およびコネクタカバーの詳細を示す図
【図４】第三保持部での断面図
【図５】コネクタカバーの開操作を表す図
【図６】コネクタ室の第二保持部での横方向での断面図
【発明を実施するための形態】
【００１２】
以下に本発明の実施形態を添付図面に基づいて説明する。
【００１３】
［実施の形態］
本発明の実施形態においては、携帯端末装置の一例としてビデオカメラを用いて説明する。
【００１４】
図１は本発明の実施の形態に係るビデオカメラの斜視図である。
【００１５】
この時、図１(a)はコネクタカバーの閉状態を示し、図１(b)はコネクタカバーの開状態を示している。
【００１６】
まず最初に、図１を用いて、ビデオカメラ１００の構成を説明する。
【００１７】
本発明の実施形態におけるビデオカメラには、図１に示すようにビデオカメラ１００には、コネクタ室１０１、コネクタカバー１０２、蓋操作部１０３、バッテリー収納部１０４、表示部１０５、表示部収納面１０６、操作部１０７、ロック解除ノブ１０８が存在する。
【００１８】
次に、ビデオカメラ１００の各構成要素について説明を行う。
【００１９】
コネクタ室１０１は、ビデオカメラ１００の外部に向けて開口されており、ビデオカメラ１００の外装面に対して凹形状となっている。そして、バッテリー収納面１０４と表示部収納面１０６との２面で構成される角部に設けられている。また、コネクタ室１０１のバッテリー収納部１０４側の面は解放されている。
【００２０】
コネクタカバー１０２は、屈曲変位可能な加撓性を有する適宜の弾性部材で形成されており、コネクタ１０９を埃や水滴から保護するため、コネクタ室１０１を開閉自在に設けられている。
【００２１】
また、コネクタカバー１０２は閉状態では図１(a)に示すように、コネクタ室１０１に収納され、ビデオカメラ１００の外装の一部を形成する。
【００２２】
蓋操作部１０３は、コネクタカバー１０２を開く際に指を掛け操作する部位であり、コネクタカバー１０２の上側に設けられている。また、ビデオカメラ１００の外装面に対して凹形状となっており、指をかけてコネクタカバー１０２を開操作するために適した形状となっている。
【００２３】
バッテリー収納部１０４は、ビデオカメラ１００に電源を供給するバッテリー１２０を取り付ける部位であり、製品最背面部に設けられている。
【００２４】
表示部１０５は撮像した画像や撮影中の画像を表示するためのものであり、表示部１０５は、ビデオカメラ１００にひんじ（１２３）によって連結されている。そして、ビデオカメラ１００に対して閉じた状態、開いた状態と開閉操作することができ、開いた状態となった場合に使用者は画面１０５aを見ることが可能となる。また、閉じた状態では、表示部１０５は画面１０５aが表示部収納面１０６と対向する位置となり、画面１０５aは消灯する。
【００２５】
表示部収納面１０６は、ビデオカメラ１００の外観を形成する面であり、表示部１０５の収納状態で画面１０５aと対向する位置にあり、操作ボタン１０７及びロック解除ノブ１０８が設けられている。
【００２６】
操作ボタン１０７は使用者からの入力を受け付けるためのボタンである。
【００２７】
ロック解除ノブ１０８はバッテリー１２０をビデオカメラ１００から取り外す際に、使用者が操作する部位である。
【００２８】
次に、バッテリー室１０１の詳細及びバッテリー１２０の取り付け方を図２を用いて説明する。
【００２９】
図２はバッテリー室１０４へのバッテリー１２０の取り外し及び取り付けを示す図である。
【００３０】
この時、図２(a)はバッテリー１２０の取り付け前の状態を示し、図２(b)はバッテリー１２０の取り付け後の状態を示す図である。
【００３１】
まず最初に、バッテリー室１０４の詳細を説明する。
【００３２】
バッテリー室１０４には、図２(a)に示すように、ロック部１０４aや爪部１０４b、ビデオカメラ１００とバッテリー１２０を電気的に接続するための接点１０４cを有している。
【００３３】
またここで、バッテリー１２０は、ビデオカメラ１００に対して着脱自在な、リチウムイオン電池などの二次電池であり、ビデオカメラ１００に電源を供給するものである。
【００３４】
また、コネクタ室１０１のバッテリー室１０４側の側面は開放され、コネクタカバー１０２の外観の一部１０２ａがバッテリー室１０４の内壁の一部を兼ねている。これにより、ビデオカメラ１００の幅方向の小型化を実現している。
【００３５】
なお、本発明の実施形態におけるビデオカメラ１００においてはバッテリー室１０４はビデオカメラ１００の最背面部に設けられている。これにより、バッテリー１２０をビデオカメラ１００の外側に露出させて取り付けることが可能となり、ビデオカメラ１００の内部空間を有効に使え、製品の小型化を実現することが可能となる。また、バッテリー１２０はビデオカメラ１００の外部に露出した状態で取り付けるため、例えば大容量のバッテリーなどの外形サイズの異なるバッテリーも取り付けることが可能であり、非常に使い勝手の良いものとなる。
【００３６】
次にバッテリー室１０４へのバッテリー１２０の取り付け及び取り外しについて説明する。
【００３７】
まず、バッテリー室１０４からバッテリー１２０の取り付けについて説明する。
【００３８】
バッテリー１２０をバッテリー収納部１０４に取り付ける時は、バッテリー１２０はバッテリー収納部１０４に対してビデオカメラ１００の底面側から上面側に向かう方向、すなわち図２(a)に示す矢印Ａの方向より図２(b)に示す取り付け状態まで挿入される。
【００３９】
取り付け状態では、接点１０４cがバッテリー１２０側に設定されている導通部と電気的に接触する。また、この時、バッテリー１２０はロック部１０４aによって保持され下側へのバッテリー１２０の落下を防いでいる。また、バッテリー１２０に設けた凹（不図示）が爪部１０４bに引っ掛かることによってバッテリー収納部１０４からバッテリー１２０を引きはがす方向の保持をしている。また、爪部１０４bは挿入方向に所定の量の長さを有しており、バッテリー１２０は、バッテリー室１０４にある程度挿入されると爪部１０４bをガイドにしてロック位置まで挿入される。
【００４０】
次にバッテリー室１０４からバッテリー１２０の取り外しについて説明する。
【００４１】
バッテリー１２０をバッテリー収納部１０４から取り外す時は、使用者は表示部収納面１０６に設けられたロック解除ノブ１０８を操作する。ロック解除ノブ１０８は、内部でロック部１０４aと連結されており、ロック解除ノブ１０８の操作に連動して、ロック部１０４aは、バッテリー収納部１０４から退避したポジションへと移動する。これにより、バッテリー１２０は上面側から底面側に向かう方向、すなわち図２(b)に示す矢印Bの方向へ移動可能となり、取り付け時とは逆の手順でバッテリー１２０を取り外す。
【００４２】
次にコネクタ室１０１およびコネクタカバー１０２の詳細について図３を用いて説明する。
【００４３】
図３はコネクタ室１０１およびコネクタカバー１０２の詳細を示す図である。
【００４４】
この時、図３(a)はコネクタ室１０１内を示し、図３(b)はコネクタカバー１０２の裏側を示す図であり、図３(c)はコネクタカバー１０２の斜視図である。
【００４５】
まず図３を用いてコネクタ室１０１およびコネクタカバー１０２の各構成要素について説明を行う。
【００４６】
コネクタ室１０１内には、図３(a)に示すように、コネクタ１０９、および第一圧入孔１１０、第二圧入孔１１１、側壁１１２、フック穴１１３が存在する。また、コネクタカバー１０２には、図３(b)に示すように第一圧入ボス１１４、第二圧入ボス１１５、およびフック部１１６が存在する。
【００４７】
コネクタ１０９は、例えばＵＳＢコネクタやＨＤＭＩコネクタ、電源コネクタなどの、ビデオカメラ１００の外部と信号の入出力に用いるものである。
【００４８】
第一圧入ボス１１４および第二圧入ボス１１５は、コネクタカバー１０２に存在する十字型の凸形状であり、弾性を有している。
【００４９】
第一圧入孔１１０、および第二圧入孔１１１は、コネクタ室１０１内に設けられた非貫通の凹形状であり、コネクタカバー１０２の閉状態において、第一圧入ボス１１４および第二圧入ボス１１５のそれぞれと対向した位置に存在する。
【００５０】
フック部１１６は、図３(c)に示すように、コネクタカバー１０２と一体で形成されている形状であり、中央部が開口した輪状の形状であり、コネクタカバー１０２をビデオカメラ１００に連結させるための部位である。
【００５１】
フック穴１１３は、コネクタ室１０１内に設けられた穴であり、コネクタカバー１０２の閉状態において、フック部１１６と対向した位置に存在する。
【００５２】
この時、コネクタカバー１０２の閉状態では、第一圧入ボス１１４が第一圧入孔１１０に押し込まれ、第一保持部１１７を形成する。第二圧入ボス１１５が第二圧入孔１１１に押し込まれ、第二保持部１１８を形成する。第一保持部１１７及び第二保持部１１８ではボスと孔の間では、圧入ボスの外形は圧入孔径よりも大きく設定されている。そのため挿入時は、弾性部材で形成されている圧入ボスが変形し、その摩擦力によりコネクタカバー１０２を閉状態に保持する。
【００５３】
また、フック部１１６とフック穴１１３によって、コネクタカバー１０２の閉状態で第三保持部１１９を形成し、コネクタカバー１０２を閉状態に保持する。
【００５４】
ここで、図４を用いてフック部１１６とフック穴１１３の関係を説明する。
【００５５】
図４は第三保持部１１９での断面図である。
【００５６】
フック部１１６には挿入時にフック穴１１３に当接する緩やかな斜面１１６aと抜脱時にフック穴１１３に当接する急激な斜面１１６bの２種類のテーパ形状を有している。
【００５７】
また、フック部１１６の最大幅Ｙはフック穴の幅Ｚよりも大きく設定されている。
【００５８】
そのため、コネクタカバー１０２が閉状態において、フック部１１６の急激な斜面１１６bがフック穴１１３にの内側に当接して引っ掛かることでコネクタカバー１０２の抜脱を防止している。
【００５９】
一方、フック部１１６は中央部が開口されている形状のため、フック部１１６が内側に弾性変形することが可能である。そのため、コネクタカバー１０２の挿抜時には所定以上の力を受け、フック部１１６が内側に弾性変形することでフック部１１６がフック穴１１３を通過することが可能となる。これにより、コネクタカバー１０２の挿抜が可能となる。
【００６０】
またここで、急激な斜面および緩やかな斜面がコネクタカバー１０２の挿入方向に対する角度α及びβの間ではα＞βの関係となっており、抜脱力＞挿入力となっている。
【００６１】
これにより、コネクタカバー１０２の挿入時には、緩やかな斜面１１６aを当接させながら、ビデオカメラ１００の内部に挿入されていくため、装着動作を容易に行う事が出来る。一方、コネクタカバー１０２を装着された後に抜脱使用とする時には急激な斜面１１６bがフック穴１１３内側に当接することで、抜脱動作を阻止され、簡単に抜脱するのを防止できるようになっている。この時、第三保持部１１９における保持力は第一保持部１１７及び第二保持部１１８よりも強くなっている。
【００６２】
側壁１１２は、コネクタ室１０１のバッテリー収納部１０４と反対側の面を担う内壁であり、コネクタカバー１０２の側面が表示部収納面１０６に露出することを防いでいる。
【００６３】
ここで、ビデオカメラ１００に対するコネクタカバー１０２の連結方法を図４を用いて説明する。
【００６４】
フック部１１６は、図４に示すように、ビデオカメラ１００の内側でフック部１１６の開口部の内部に設けられた係り止め部１２１を通して固定することで、ビデオカメラ１００に対する抜け止めを形成している。
【００６５】
またここで、コネクタ室１０１内における第一保持部１１７から第三保持部１１９のの３つの保持部の位置を図３を用いて説明する。
【００６６】
第一保持部１１７は、蓋操作部１０３の近傍、側壁１１２側に配置されている。
【００６７】
第二保持部１１８は、コネクタカバー１０２の上下方向の略中央部バッテリー室１０４側に配置されている。
【００６８】
第三保持部１１９は、コネクタカバー１０２の底面側端近傍に配置されている。
【００６９】
以上のように構成されたビデオカメラ１００について、コネクタカバー１０２の開動作を図５を用いて説明する。
【００７０】
図５はコネクタカバー１０２の開操作を表す断面図である。
【００７１】
コネクタカバー１０２を開ける場合、使用者は蓋操作部１０３に指をかけ、図５（ａ）に示す矢印Ｃの方向に、任意の力Ｆ１を加える。この時、コネクタカバー１０２は、コネクタカバー１０２の下端である支点１２２を支点として回転動作をし、第一保持部１１７、第二保持部１１８、第三保持部１１９の順でビデオカメラ１００から抜脱される。そして、抜脱されたコネクタカバー１０２は図５（b）に示すように、フック部１１６に設けられた溝端が係り止め部１２１に当接するまで引き出すことが可能である。
【００７２】
このような開動作をするコネクタカバー１０２では、第三保持部１１９にかかる抜脱力Ｆ２は、支点１２２を支点とするテコにより、以下の（式１）で表わすことが出来る。
【００７３】
本実施例では第三保持部１１９は支点１２２の近傍に配置されており、Ｌ１＞Ｌ２となっている。
【００７４】
【数１】
2013130742.tif 000003
【００７５】
なお、本実施例においてはＬ１はＬ２の約７倍のとなっている。すなわち第三保持部１１９での保持力は、第一保持部１１７の約７倍の保持力を持っていても同じ第一保持部を抜脱する力と同等の力で第三保持部１１９を抜脱することが可能となる。
【００７６】
これにより、使用者がコネクタカバー１０２の操作を容易に行えるように第一保持部１１７での保持力を弱い力に設定しても、第三保持部１１９では大きな保持力を持たせても、コネクタカバー１０２の開操作の操作性を悪化させることが無い。
【００７７】
またここで、本実施例のビデオカメラ１００では、第一保持部１１７は蓋操作部１０３の近傍に配置されている。これにより、外部からコネクタカバー１０２に対して引っ掛かりが生じやすい蓋操作部１０３部周辺でコネクタカバー１０２が浮き上がることを防止している。そのため、使用者が意図せずに蓋操作部１０３に引っ掛けてしまいコネクタカバー１０２が抜脱することを防ぐことが出来る。
【００７８】
さらに、本実施例のビデオカメラ１００では、ビデオカメラ１００の小型化のため、バッテリー室１０４の内壁をコネクタカバー１０２の外観の一部１０２ａで形成している。そのため、バッテリー１２０装着動作時にバッテリー１２０や使用者の指がコネクタカバー１０２に当たることがある。しかし、バッテリー１２０の挿入側である、ビデオカメラ１００の底面側には保持力の強い第三保持部が存在している。そのため、バッテリー１２０装着動作の途中でバッテリー１２０や使用者の指がコネクタカバー１０２に当たるなどして、底面方向から使用者の意図しない外力がコネクタカバー１０２に加えられたとしても、コネクタカバー１０２が簡単に抜脱することが無く、非常に使い勝手が良い蓋となる。
【００７９】
次に、コネクタカバー１０２に横方向からの外力がかかった際のコネクタカバー１０２の受け構造について図６を用いて説明する。
【００８０】
図６はコネクタ室１０１の第二保持部１１８での横方向での断面図である。
【００８１】
本実施例のビデオカメラ１００では第二保持部１１８が、コネクタカバー１０２の上下方向の略中央部に存在するため、バッテリー室１０４側からの外力に対しては、上下方向のどの位置における外力においても効率良く抵抗することが可能となる。また、第二保持部１１８はコネクタカバー１０２のバッテリー室１０４側に存在する。そのため、コネクタカバー１０２に対してバッテリー室１０４側から使用者の意図しない外力がコネクタカバー１０２に加えられたとしても、外力に対して第二保持部１１８が強く抵抗することが出来る。
【００８２】
さらに、外力が第二保持部１１８の保持力以上であったとしても、側壁１１２がコネクタカバー１０２を支えるため、コネクタカバー１０２が簡単に抜脱することが無い。
【００８３】
また、本実施例のビデオカメラ１００では、表示部収納面１０６に操作ボタン１０７やロック解除ノブ１０８などの操作部が存在している。そのため、操作時に誤って表示部収納面１０６とバッテリー室１０４で構成される角部を触ってしまう事が有る。しかし、コネクタカバー１０２の表示部収納面１０６側には側壁１１２が有り、コネクタカバー１０２は外観に露出していない。そのため、使用者の意図しない外力が表示部収納面１０６側からコネクタカバー１０２に伝わることがなく、コネクタカバー１０２が意図せず抜脱してしまうことが無い。
【００８４】
ここで、コネクタカバー１０２の浮き方向の保持に関して説明する。
【００８５】
コネクタカバー１０２の上下方向で見た時、上部を第一保持部１１７、中部を第二保持部１１８、下部を第三保持部１１９で押さえている。
【００８６】
コネクタカバー１０２の横方向で見た時には、表示部収納面１０６側を第一保持部、バッテリー室１０４側を第二保持部１１８で押さえている。
【００８７】
このような構成とすることによって、非常にバランス良くコネクタカバー１０２の浮きを押さえることが可能な構成となっている。
【００８８】
以上説明した構成のコネクタカバー１０２とすることによって、操作部１０３に力を加えた時は開き易く、操作部１０３以外の方向からの意図しない外力を受けた時は簡単に抜脱されることを防止出来る、非常に操作性に優れる蓋構造を提供することが可能となる。
【００８９】
尚、本実施例においては携帯端末装置本体の例としてビデオカメラを挙げて説明したが、機械的構成要素は前述の構成に限定されるものではなく、本発明と同様の効果が得られるものであればどのような構成であっても適応されることは言うまでも無い。
【符号の説明】
【００９０】
１００  ‥‥ビデオカメラ
１０１  ‥‥コネクタ室
１０２  ‥‥コネクタカバー
１０２ a‥‥コネクタカバーの外観の一部
１０３  ‥‥蓋操作部
１０４  ‥‥バッテリー収納部
１０４ a‥‥ロック部
１０４ b‥‥爪部
１０４c‥‥接点
１０５  ‥‥表示部
１０５ a‥‥画面
１０６  ‥‥表示部収納面
１０７  ‥‥操作ボタン
１０８  ‥‥ロック解除ノブ
１０９  ‥‥コネクタ
１１０  ‥‥第一圧入孔
１１１  ‥‥第二圧入孔
１１２  ‥‥側壁
１１３  ‥‥フック穴
１１４  ‥‥第一圧入ボス
１１５  ‥‥第二圧入ボス
１１６  ‥‥フック部
１１７  ‥‥第一保持部
１１８  ‥‥第二保持部
１１９  ‥‥第三保持部
１２０  ‥‥バッテリー
１２１  ‥‥係り止め部
１２２  ‥‥支点
１２３  ‥‥ひんじ
【図１】
2013130742.tif 000004
【図２】
2013130742.tif 000005
【図３】
2013130742.tif 000006
【図４】
2013130742.tif 000007
【図５】
2013130742.tif 000008
【図６】
2013130742.tif 000009